(57)【要約】【課題】異なるＷＥＢアプリケーションを運用する複数のＷＥＢサイトを一括管理するＷＥＢサイト管理システムを提供し、簡易にそのコンテンツを一括管理するとともに、それら複数のＷＥＢサイトを連携させて集客効果を高める。【解決手段】ユーザが外部のＷＥＢサービスを利用して開設した複数のＷＥＢサイトにインターネットを介して接続した管理サーバにより、各ＷＥＢサービスごとのＷＥＢアプリケーションを外部から遠隔操作できるＡＰＩを用いて、ユーザの複数のＷＥＢサイト上のコンテンツを一括して追加・編集・削除等の管理を行うとともに、当該ＷＥＢサイト間にリンクを生成して相互に連携させ、インターネット上でのユーザのコンテンツの露出度の向上およびＳＥＯ対策の効果を発揮させる。【選択図】図１
2010224700.tif 000002
【特許請求の範囲】
【請求項１】
異なる形式のＷＥＢアプリケーションソフトウェアを運用する複数のＷＥＢサーバ上に、それぞれユーザのＷＥＢサイトを開設して一括管理するＷＥＢサイト管理システムであって、
ネットワーク接続されたユーザ端末装置からユーザが入力したユーザ情報に基づきユーザ情報データベースを照会して認証を行うユーザ認証手段と、
認証されたユーザにつき、前記複数のＷＥＢサーバのそれぞれにアクセスして前記ＷＥＢアプリケーションソフトウェアを利用するためのアクセス情報をユーザごとに記憶するアクセス情報データベースに照会して、前記アクセス情報を取得するアクセス情報取得手段と、
前記複数のＷＥＢサーバへ送信するべきユーザ提供情報をユーザごとに記憶するユーザ提供情報データベースに照会して、前記ユーザ提供情報を取得するユーザ提供情報取得手段と、
前記アクセス情報取得手段により取得された前記ユーザごとのアクセス情報を使用して、前記ユーザ提供情報取得手段により取得された前記ユーザ提供情報を前記複数のＷＥＢサーバに送信することにより、前記ＷＥＢアプリケーションソフトウェアを利用してユーザのＷＥＢサイトを一括管理するＷＥＢサイト一括管理手段と、
を備えることを特徴とするＷＥＢサイト管理システム。
【請求項２】
前記複数のＷＥＢサーバの中から前記ユーザ提供情報を送信して一括管理するべきＷＥＢサーバを選択するＷＥＢサーバ選択手段、
を備えることを特徴とする請求項１に記載のＷＥＢサイト管理システム。
【請求項３】
前記複数のＷＥＢサーバごとのアクセス情報を前記ユーザ認証手段により認証されたユーザごとに登録するアクセス情報登録手段、
を備えることを特徴とする請求項１または請求項２に記載のＷＥＢサイト管理システム。
【請求項４】
前記複数のＷＥＢサーバへ送信するべきユーザ提供情報を前記ユーザ認証手段により認証されたユーザごとに前記ユーザ提供情報データベースに登録するユーザ提供情報登録手段、
を備えることを特徴とする請求項１乃至請求項２のいずれか一項に記載のＷＥＢサイト管理システム。
【請求項５】
前記ユーザ提供情報は、ＷＥＢサイト上に新たにユーザのＷＥＢサイトを構築するために必要なすべてのデータが含まれる、
ことを特徴とする請求項１乃至請求項４のいずれか一項に記載のＷＥＢサイト管理システム。
【請求項６】
前記ネットワーク接続されたユーザ端末装置は、携帯電話機である、
ことを特徴とする請求項１乃至請求項５のいずれか一項に記載のＷＥＢサイト管理システム。
【請求項７】
異なる形式のＷＥＢアプリケーションソフトウェアを運用する複数のＷＥＢサーバ上に、それぞれユーザのＷＥＢサイトを開設して一括管理するＷＥＢサイト管理方法であって、
ネットワーク接続されたユーザ端末装置からユーザが入力したユーザ情報に基づきユーザ情報データベースを照会して認証を行うユーザ認証ステップと、
認証されたユーザにつき、前記複数のＷＥＢサーバのそれぞれにアクセスして前記ＷＥＢアプリケーションソフトウェアを利用するためのアクセス情報をユーザごとに記憶するアクセス情報データベースに照会して、前記アクセス情報を取得するアクセス情報取得ステップと、
前記複数のＷＥＢサーバへ送信するべきユーザ提供情報をユーザごとに記憶するユーザ提供情報データベースに照会して、前記ユーザ提供情報を取得するユーザ提供情報取得ステップと、
前記アクセス情報取得手段により取得された前記ユーザごとのアクセス情報を使用して、前記ユーザ提供情報取得手段により取得された前記ユーザ提供情報を前記複数のＷＥＢサーバに送信することにより、前記ＷＥＢアプリケーションソフトウェアを利用してユーザのＷＥＢサイトを一括管理するＷＥＢサイト一括管理ステップと、
を備えることを特徴とするＷＥＢサイト管理方法。
【発明の詳細な説明】
【技術分野】
【０００１】
本発明は、ＷＥＢサイト管理システム及びＷＥＢサイト管理方法に関し、より詳細には、異なる形式のＷＥＢアプリケーションソフトウェア（以下、単に「ＷＥＢアプリケーション」と記する。）を運用する複数のＷＥＢサーバ上に、それぞれユーザのＷＥＢサイトを開設して一括管理するＷＥＢサイト管理システム及びＷＥＢサイト管理方法に関する。
【背景技術】
【０００２】
現在では、数多くの事業者によってインターネット上に様々ＷＥＢサイト（以下、単に「サイト」と記する。）が開設されており、自分の事業や商品・サービスの単なる宣伝広告のみならず、インターネットを通じた重要な集客手段となっている。そのため、事業者にとっては数あまたのサイトの中で見込み客を自分のサイトへいかにして誘導するかが課題となっている。
【０００３】
そのための対策としては、見込み客が検索サイトを利用して特定のキーワードで情報検索を行った際にできるだけ自分のサイトが検索結果の上位に表示されることをねらった、いわゆる「ＳＥＯ対策」と呼ばれる手法が一般的に行われている。
【０００４】
主要な検索サイトの多くは、「検索ロボット」または「クローラー」と呼ばれる自律型プログラムをインターネット上で定期または不定期に巡回させ、あらゆるサイト内の主にテキストデータを収集して検索データベースを構築し、かつサイトの内容の更新を発見した場合はそれをデータベースに反映させ、利用者からの検索要求があった場合には当該データベースを検索して検索結果を返すという、いわゆる全文検索型サーチエンジン（以下、単に「サーチエンジン」と記する。）を採用している。
【０００５】
当該サーチエンジンが検索結果表示の順位を決定する基準や方法は各検索サイト運営事業者の高度な営業秘密であり、検索者に対してその検索ニーズに適合した情報を有するサイトを優先的に提示するという理念に基づき、不公正な手段での上位表示狙いを防ぐ目的で前記基準や方法は頻繁に変更されているが、基本的には、（イ）より多くのサイトからハイパーリンク（以下、単に「リンク」と記する。）を設定されているサイト、（ロ）より頻繁に更新が行われているサイト、が検索結果において上位に表示される傾向があることが知られている。
【０００６】
これは、外部の多くのサイトからリンクが設定されているサイトはそれだけ重要あるいは有益な情報を提供しているサイトであると推測でき、また、頻繁に更新が行われているサイトはそれだけ新鮮な情報を提供する活動的なサイトであると推測できることによる。
また、同じ外部サイトからのリンクであっても、当該外部サイトがより多くの外部サイトからリンクを設定されているほど、結果的に自分のサイトへのリンク自体の「価値」も高まり、ひいては自分のサイトの検索結果順位の向上に寄与するという傾向があることが知られている。
【０００７】
かかるサーチエンジンの検索結果表示順位の傾向を鑑みれば、もちろん自分のサイトを見込み客にとって有益な情報を豊富に提供できる内容・デザイン・使い勝手の優れたサイトにすることを前提条件として、その上で、より多数の外部サイト、それもできるだけ被リンク数の多い「有力」なサイトからの被リンクを増やすこと、及び、自分のサイトをできるだけ頻繁に更新することが、自分のサイトの集客力を向上させるための有効な手段となるが、外部サイトからの被リンクは、相手があることでもあるから短期間に増加させることは容易ではない。
【０００８】
一方、従来の一般的なＷＥＢサイトのほかに、個人が日記的な記事を頻繁に投稿する「ブログ」と呼ばれる形式のサイトが増加しており、近年ではＷＥＢサーバ運営事業者がサーバ上の一定領域を無料あるいは廉価で個人や事業者に貸与してブログ形式の簡便なＷＥＢサイトを構築できるサービスが普及している。
また、前記のブログ的な機能を持つ個人スペースや電子掲示板機能、メーリングリスト機能などの多彩な機能を備え、登録メンバー間の電子的なコミュニケーション空間を形成する「ＳＮＳ(Socal Networking Service)」と呼ばれるサービスも普及している。
【０００９】
これらのサービスの技術的特徴は、一般的なＷＥＢサイトではユーザが契約してサーバ運営事業者から貸与されたＷＥＢサーバ上の領域に、ユーザ自身あるいはユーザから制作委託を受けたＷＥＢサイト制作事業者がＷＥＢサイトを構成するデータ一式を基本的にすべてアップロードしてサイトを構築しインターネット上に公開する方式であるのに対し、ブログやＳＮＳではサーバ運営事業者がサイト管理用のＷＥＢアプリケーションソフトウェアをサーバ上に用意・管理して、登録したユーザに貸与したサーバ上の領域に定型的なユーザサイトや個人スペースを設けて公開し、ユーザがテキストや画像などのいわゆる「コンテンツ」のデータのみをサーバにアップロードすると、上記ＷＥＢアプリケーションソフトウェアがそれらデータを当該ユーザサイト内の所定のスペースに表示させるという方式を取る点である。
【００１０】
そのため、ユーザはサイトのデザインや構成の自由度ついては制約を受けるものの、ＷＥＢサイトの構築や管理に関する専門的な知識や経験がなくても、上記ＷＥＢアプリケーションが提供するユーザフレンドリーなインターフェイス（操作画面）を通じて、簡便にブログやＳＮＳ上の個人スペースを開設・削除したりコンテンツを加除・修正したりできる。
【００１１】
こうしたブログやＳＮＳの特徴に着目して、最近では、これらのサービスを前記ＳＥＯ対策に活用する動きが活発化している。
具体的には、すでに自分のサイト（メインサイト）を開設し運営している事業者が複数のブログやＳＮＳサービスに登録してそれぞれに自分のブログサイトや個人スペースを確保し、そこに自分の事業や商品・サービスの紹介あるいは関連情報（例えば「店長日記」など）などのコンテンツを掲載するとともに、当該コンテンツ上にメインサイトへのリンクを設定し、アクセスした来訪者に当該リンクをクリックするよう誘導してメインサイトへの来訪を促すというものである。もちろん、メインサイトにおいても当該ブログサイト等の紹介を掲載し、そこへのリンクを設定しておくのが一般的である。
【００１２】
これにより、結果的に自分のメインサイトと複数の自分のＷＥＢサイトとの間で互いにリンクを設定し合う「相互リンク」が成立し、こうしたＷＥＢサイトを増やすことによりメインサイトの被リンク数も増えるから前記の「（イ）より多くのサイトからリンクを設定されているサイト」としてＳＥＯ対策上の効果が期待できるというものである。
しかも、大手のブログやＳＮＳサービスは多数の登録者を有し、他のＷＥＢサイトやブログ、ＳＮＳ等との間のリンクも頻繁に行われていることから、それ自体がインターネット上で「有力なサイト」として評価される可能性が高く、ユーザは比較的短期間にメインサイトに価値の高いリンクを確保することが期待できる。
【００１３】
また、技術的なＳＥＯ対策以外にも、多数のＷＥＢサービス上に自分のメインサイトへのリンクを有するＷＥＢサイトが存在することは、インターネット上で見込み客の目にとまる確率を高める「露出拡大」の効果が期待できるし、多数の登録者を有する大手ブログやＳＮＳにはそもそも毎日多数の来訪者によるアクセスがあり、システム自体に管理下のブログや個人スペースを紹介するサービスや新たな更新（新着情報）をした場合に告知する機能を有する場合も多いので、当該ブログや個人スペースが来訪者の目にとまる確率も高くなり、ひいては当該外部ＷＥＢサイトからユーザのメインサイトへ見込み客を誘導するチャンスが増えるという効果も期待できる。
【発明の開示】
【発明が解決しようとする課題】
【００１４】
しかしながら、前記のような手法で多数のブログサービスやＳＮＳサービスに自分のブログや個人スペースを確保するためには、ユーザは個々のサービス事業者に登録する必要がある。
また、メインサイトのコンテンツを更新したり追加・削除した場合、その内容を個々のブログや個人スペースに反映させたり告知したりするためには、いちいち個々のブログサービスやＳＮＳサービスにアクセスして自らコンテンツを更新または追加・削除する煩雑な作業が必要となり、たとえユーザフレンドリーなインターフェイスを利用できるとしても、こうした作業はユーザの負担となっているのが現状である。
このようなユーザ負担を軽減するための方法としては特許文献１記載の発明のように、複数のブログを開設するユーザに対して同時にすべてのブログの内容を更新できる「シンクロ投稿」という仕組みを用いる方法が開示されているが、これは複数のブログの構成を「フレンドパーツ」と呼ばれるブログの電子的部品を共通化して相互の互換性を確保した上で、携帯電話メールによるブログの更新を、あらかじめそれを受信してブログの内容に反映させるように設定したものであり、対応するブログ等のＷＥＢサービスが限定されたものである。
また、特許文献２記載の発明のように、ＡＰＩを用いて複数のＷＥＢサービス上のＷＥＢアプリケーションを操作し、複数のＷＥＢサイトのコンテンツを一括更新できる方法も知られているが、そもそも多数のブログサービスやＳＮＳサービスに自分のブログや個人スペースを確保するためには、ユーザは個人のサービス事業者に登録する必要があり、必ずしもユーザの負担は少なくなかった。
【特許文献１】特開２００８−３１０５３８号公報
【特許文献２】特開２００８−２７０４３号公報
【００１５】
かかる状況に鑑み、本発明は、異なる形式のＷＥＢアプリケーションソフトウェアにより運用される複数のＷＥＢサーバ上に、それぞれユーザのＷＥＢサイトを開設して一括管理するＷＥＢサイト管理システム、ＷＥＢサイト管理方法を提供することを目的とする。
【課題を解決するための手段】
【００１６】
上記の目的を達成するために、請求項１の発明に係るＷＥＢサイト管理システムは、異なる形式のＷＥＢアプリケーションソフトウェアを運用する複数のＷＥＢサーバ上に、それぞれユーザのＷＥＢサイトを開設して一括管理するＷＥＢサイト管理システムであって、ネットワーク接続されたユーザ端末装置からユーザが入力したユーザ情報に基づきユーザ情報データベースを照会して認証を行うユーザ認証手段と、認証されたユーザにつき、前記複数のＷＥＢサーバのそれぞれにアクセスして前記ＷＥＢアプリケーションソフトウェアを利用するためのアクセス情報をユーザごとに記憶するアクセス情報データベースに照会して、前記アクセス情報を取得するアクセス情報取得手段と、前記複数のＷＥＢサーバへ送信するべきユーザ提供情報をユーザごとに記憶するユーザ提供情報データベースに照会して、前記ユーザ提供情報を取得するユーザ提供情報取得手段と、前記アクセス情報取得手段により取得された前記ユーザごとのアクセス情報を使用して、前記ユーザ提供情報取得手段により取得された前記ユーザ提供情報を前記複数のＷＥＢサーバに送信することにより、前記ＷＥＢアプリケーションソフトウェアを利用してユーザのＷＥＢサイトを一括管理するＷＥＢサイト一括管理手段とを備えることを特徴とする。
【００１７】
また、請求項２の発明に係るＷＥＢサイト管理システムは、請求項１の発明に係るＷＥＢサイト管理システムであって、前記複数のＷＥＢサーバの中から前記ユーザ提供情報を送信して一括管理するべきＷＥＢサーバを選択するＷＥＢサーバ選択手段を備えることを特徴とする。
【００１８】
また、請求項３の発明に係るＷＥＢサイト管理システムは、請求項１または請求項２の発明に係るＷＥＢサイト管理システムであって、前記複数のＷＥＢサーバごとのアクセス情報を前記ユーザ認証手段により認証されたユーザごとに登録するアクセス情報登録手段
を備えることを特徴とする。
【００１９】
また、請求項４の発明に係るＷＥＢサイト管理システムは、請求項１乃至請求項３の発明の何れかに係るＷＥＢサイト管理システムであって、前記複数のＷＥＢサーバへ送信するべきユーザ提供情報を前記ユーザ認証手段により認証されたユーザごとに前記ユーザ提供情報データベースに登録するユーザ提供情報登録手段を備えることを特徴とする。
【００２０】
また、請求項５の発明に係るＷＥＢサイト管理システムは、請求項１乃至請求項４の発明の何れかに係るＷＥＢサイト管理システムであって、前記ユーザ提供情報は、ＷＥＢサイト上に新たにユーザのＷＥＢサイトを構築するために必要なすべてのデータが含まれることを特徴とする。
【００２１】
また、請求項６の発明に係るＷＥＢサイト管理システムは、請求項１乃至請求項５の発明の何れかに係るＷＥＢサイト管理システムであって、前記ネットワーク接続されたユーザ端末装置は携帯電話であることを特徴とする。
【００２２】
また、請求項７の発明に係るＷＥＢサイト管理方法は、異なる形式のＷＥＢアプリケーションソフトウェアにより運用される複数のＷＥＢサーバ上に、それぞれユーザのＷＥＢサイトを開設して一括管理するＷＥＢサイト管理方法であって、ネットワーク接続されたユーザ端末装置からユーザが入力したユーザ情報に基づきユーザ情報データベースを照会して認証を行うユーザ認証ステップと、認証されたユーザにつき、前記複数のＷＥＢサーバのそれぞれにアクセスして前記ＷＥＢアプリケーションソフトウェアを利用するためのアクセス情報をユーザごとに記憶するアクセス情報データベースに照会して、前記アクセス情報を取得するアクセス情報取得ステップと、前記複数のＷＥＢサーバへ送信するべきユーザ提供情報をユーザごとに記憶するユーザ提供情報データベースに照会して、前記ユーザ提供情報を取得するユーザ提供情報取得ステップと、前記アクセス情報取得手段により取得された前記ユーザごとのアクセス情報を使用して、前記ユーザ提供情報取得手段により取得された前記ユーザ提供情報を前記複数のＷＥＢサーバに送信することにより、前記ＷＥＢアプリケーションソフトウェアを利用してユーザのＷＥＢサイトを一括管理するＷＥＢサイト一括管理ステップとを有することを特徴とする。
【発明の効果】
【００２３】
上記の手段により、本発明は、ブログやＳＮＳ等のＷＥＢサービスに用いられる、異なる形式のＷＥＢアプリケーションソフトウェアにより運用される複数のＷＥＢサーバ上に、それぞれユーザのブログサイトやＳＮＳ個人スペースまたは別個の通常ＷＥＢサイトを開設して一括管理することで、ＷＥＢサイトの構築や管理に関する専門的な知識や経験を有しないユーザでも容易に多数のブログサイトやＳＮＳ上の個人スペースを運用することができる。
【００２４】
また、当該ブログサイトやＳＮＳ個人スペースまたは別個の通常ＷＥＢサイトにユーザ自身のメインサイトへのリンクを設定して当該メインサイトに外部サイトからの被リンクを増加させたり、メインサイトにおけるコンテンツの追加・変更・削除等の更新を即座にリンクした自分のブログサイトやＳＮＳ個人スペース、他の通常ＷＥＢサイトに反映させることにより、結果的にメインサイト自体がサーチエンジンの検索結果表示において上位表示されやすくするとともに、インターネット上におけるユーザのコンテンツの「露出度」を増加させることにより、メインサイトへ見込み客を誘導する効果を高めることが期待できるものである。
【発明を実施するための最良の形態】
【００２５】
次に、図を参照しつつ本発明を実施するための最良の形態について説明する。
【実施例１】
【００２６】
図１は、本発明に係るＷＥＢサーバ管理システムを適用した場合のネットワークシステム１００の構成例を示す図である。
ネットワークシステム１００は、システム本体１０１と、ユーザ端末装置１０７と、ユーザメインサイト用ＷＥＢサーバ１０８と、外部ＷＥＢサーバ１０９、１１０、１１１とから構成される。また、システム本体１０１は、管理サーバ１０２と、ユーザデータベース１０３と、アクセス情報データベース１０４と、コンテンツデータベース１０５と、管理用端末装置１０６とから構成される。
【００２７】
また、ユーザメインサイト用ＷＥＢサーバ１０８、外部ＷＥＢサーバ１０９、１１０、１１１は、それぞれ外部からの要求に応じて各種のＷＥＢサービスを提供するＷＥＢアプリケーション３０１、３０２、３０３、３０４を有し、ユーザメインサイト用ＷＥＢサーバ１０８上にはユーザメインサイト２０１が、外部ＷＥＢサーバ１０９上にはブログサイト２０２が、外部ＷＥＢサーバ１１０上にはＳＮＳ個人スペース２０３が、外部ＷＥＢサーバ１１１上には外部ＷＥＢサイト２０４が開設されている。管理サーバ１０２はＷＥＢサーバを兼ねており、当該ＷＥＢサーバ上には内部サイト２０５が開設されている。
また、管理サーバ１０２、ユーザ端末装置１０７、ユーザメインサイト用ＷＥＢサーバ１０８、外部ＷＥＢサーバ１０９、１１０、１１１、及び見込み客端末装置１１２は、インターネットWを介して相互にネットワーク接続される。  
そして、外部ＷＥＢサーバ１０９、１１０、１１１は、説明の便宜上それぞれブログサービス用ＷＥＢサーバ、ＳＮＳサービス用ＷＥＢサーバ、外部ＷＥＢサイト用の通常のＷＥＢサーバであると想定しているが、これらはあくまで仮想の条件設定であり、それぞれの外部ＷＥＢサーバの性質や内容はこれらに限定されるものではなく、外部ＷＥＢサーバの数を限定するものでもない。
従って、以下では、特に断らない限り、これらの外部ＷＥＢサーバを用いた各種のＷＥＢサービスを総称して「外部ＷＥＢサービス」と記し、それらを運営する外部のＷＥＢサーバを総称して「外部ＷＥＢサーバ」、また、ブログサイトやＳＮＳ個人スペースおよび通常の外部ＷＥＢサイト等を総称して「外部ＷＥＢサイト」と記する。
なお、本システムでは、ユーザメインサイト２０１を前記の各種外部ＷＥＢサイトと同様に一括管理の対象とすることもできるから、その場合には、ユーザメインサイト２０１も本システムによって一括管理される「外部ＷＥＢサイト」の概念に含めるものとする。
また、ユーザ端末装置１０７は本システムを利用するためにユーザが用いる端末装置の数だけ存在するものとし、管理サーバ１０２あるいは管理用端末装置１０６が複数あってもよい。もちろん見込み客端末装置１１２は不特定多数存在するものとする。
また、図２上でシステム本体１０１内に存在する各種の装置の配置は相互のネットワーク接続を概念的に示すものであり、必ずしもすべてが物理的に同一空間に設置されることに限定されるものではない。
【００２８】
管理サーバ１０２は、管理プログラム３００を搭載し、ユーザ端末装置１０７へユーザインターフェイスを提供してユーザのシステム本体１００へのログイン認証処理やユーザによるコンテンツデータの入力を受け付けるほか、ユーザデータベース１０３、アクセス情報データベース１０４、コンテンツデータベース１０５のデータ入出力処理を行う。
さらに、管理サーバ１０２は、ユーザが入力したコンテンツデータを管理対象であるＷＥＢサーバ１０８、１０９、１１０、１１１に送信して、それぞれのＷＥＢアプリケーション３０１、３０２、３０３、３０４を利用してユーザメインサイト２０１、ブログサイト２０２、ＳＮＳ上の個人スペース２０３、外部ＷＥＢサイト２０４に反映させるため、
前記コンテンツデータを含んだ命令文を、それぞれのＷＥＢアプリケーションごとにあらかじめ定めらた規約に基づいて作成し、各外部ＷＥＢサーバに送信する処理を行う。
【００２９】
ユーザ端末装置１０７及び見込み客端末装置１１２は、固定型あるいはノート型のパーソナルコンピュータ（ＰＣ）または携帯情報端末（ＰＤＡ）、あるいは携帯電話機であって、ＷＥＢサイトを閲覧したり、本システムのユーザインターフェイスを操作することができるＷＥＢブラウザを備える。
なお、ユーザが管理サーバ１０２に外部ＷＥＢサイト等の更新のためのコンテンツデータを送信する場合には、ユーザがユーザ端末装置１０７に入力したデータがＨＴＭＬ(Hyper Text Markup Language)データに変換されて送信される。
【００３０】
ユーザデータベース１０３は、システム本体１０１へのユーザのログインを認証するユーザ認証データ（ユーザＩＤ、パスワード）、ユーザのメインサイトのインターネット上のアドレスを表す識別子、ユーザが開設している外部ＷＥＢサービスその他のユーザ登録情報を格納するための記憶手段である。
【００３１】
アクセス情報データベース１０４は、管理対象である個々の外部ＷＥＢサーバ１０８、１０９、１１０、１１１をインターネット上で特定してそれぞれのＷＥＢアプリケーション３０１、３０２、３０３、３０４へ命令文を送信するための宛先となる識別子や、各外部ＷＥＢサーバにアクセスするための認証データ、およびＷＥＢアプリケーションごとにあらかじめ定められた命令文作成の規約等のアクセス情報データを格納するための記憶手段である。
【００３２】
また、管理用端末装置１０６は、本システムのシステム管理者が使用するものであって、ユーザが外部ＷＥＢサイトを開設した外部ＷＥＢサービスを本システムの一括管理対象に登録あるいは削除し、また、その登録情報の変更等を行うための端末装置である。
【００３３】
なお、前記「それぞれのＷＥＢアプリケーションごとにあらかじめ定められた（命令文作成のための）規約」は一般に「ＡＰＩ」と呼ばれている。
ＡＰＩ(Aplication
Programming Interface)とは、「特定のプログラムが有する機能を他のプログラムで利用可能とするための『入り口』となるプログラム記述上の規約」をいい、ＸＭＬ−ＲＰＣ(eXtensible
Markup Language Remote Plocedure Call)や、ＡｔｏｍＡＰＩ、ＨＴＴＰＲＥＱＵＥＳＴ等が知られている。
【００３４】
ＷＥＢサーバ上のＷＥＢアプリケーションの機能としては、例えばブログサービスのＷＥＢアプリケーションの場合、記事投稿機能、記事編集機能、記事削除機能、コメント受信機能、トラックバック機能等がある。
当該ＷＥＢアプリケーションのＡＰＩが判明していれば、遠隔地の外部のＷＥＢサーバからインターネット経由で当該ブログサービスのブログ用ＷＥＢサーバにネットワーク接続し、当該ＡＰＩに対応した命令データを当該ＷＥＢサーバに送信することにより、ＷＥＢアプリケーションを「遠隔操作」して上記の各種機能を利用することが可能となる。
【００３５】
その場合、例えばブログサイトに記事を投稿するには、対応するＡＰＩに基づいて作成した記事投稿命令を有するＸＭＬ文書に記事内容を書き込んでブログ用ＷＥＢサーバに送信する。すると、当該ブログ用ＷＥＢサーバ上のＷＥＢアプリケーションが受信したＸＭＬ文書を読み取り、記事投稿命令に従ってブログサイト上の所定の位置に記事内容の書き込み（投稿）を行う。同様にして記事の編集や削除等の機能も外部から利用できる。
なお、ＨＴＴＰＲＥＱＵＥＳＴでは、ＸＭＬ文書に記事を書き込んだ後、ＨＴＴＰヘッダー情報として目的のブログ用ＷＥＢサーバに送信する点でやや異なる。
【００３６】
ちなみに、インターネット上の個々のＷＥＢサーバの宛先はＵＲＬ(Universal Resource locator)という識別子により特定されるが、個々のＡＰＩの規約に従って作成したＸＭL文書を送信しＷＥＢアプリケーションに手渡すための宛先となるＷＥＢサーバの識別子（ＵＲＬ）は一般的に「エンドポイント」と呼ばれている。
【００３７】
また、ＡＰＩの規約に基づいて作成したＸＭL文書の命令文を用いてＷＥＢアプリケーションを操作して、ＷＥＢサーバ上の特定ユーザのブログサイトやＳＮＳ個人スペース等に記事書き込み等を行わせるためには、当該ＷＥＢサーバでの特定ユーザの識別情報（ＩＤやパスワード等）も把握している必要がある。
【００３８】
ＡＰＩはＷＥＢアプリケーションごとに異なるのが一般的だが、ブログサービスやＳＮＳサービス、ＷＥＢサービス提供事業者の多くが自己のＷＥＢアプリケーションのＡＰＩを上述のエンドポイントとともに外部に公開しているので、それらを特定ユーザの識別情報と関連づけて、あらかじめアクセス情報データベース１０４に記憶させておく。
【００３９】
そして、あるユーザがユーザ端末装置１０７から一のコンテンツデータ入力してインターネットWを通じて管理サーバ１０２に送信したら、管理サーバ１０２は当該ユーザがブログサイトやＳＮＳ個人スペース等を開設している外部ＷＥＢサイトのＡＰＩとエンドポイント等のアクセス情報をアクセス情報データベース１０４に照会し、取得したＡＰＩに基づき所望の操作命令のＸＭL文書を作成し、それに一のコンテンツデータを書き込んで対象となる外部ＷＥＢサーバのエンドポイントに向けて一斉送信する。
【００４０】
これにより、ユーザは一のコンテンツデータをユーザ端末装置１０７に一回入力するだけで、当該ユーザの開設するすべてのブログサイトやＳＮＳ個人スペース、外部ＷＥＢサイトのすべてに一括して当該コンテンツデータが反映されるため、ユーザが個々のＷＥＢサービスにアクセスして個別にコンテンツデータを書き込むことに比べ、大幅にユーザの負担が軽減されるのである。
【００４１】
また、管理サーバ１０２がユーザのコンテンツデータをＸＭL命令文書に書き込む際には、あらかじめユーザデータベース１０３に記憶させておいたユーザメインサイト２０１のＵＲＬへのリンクを自動的に挿入するように設定することができる。
【００４２】
これにより、ユーザが一のコンテンツデータを入力するたびにユーザのすべての外部ＷＥＢサイト上にコンテンツとともにユーザメインサイト２０１へのリンクが一括して表示され、ユーザメインサイト２０１は外部ＷＥＢサイトのすべてからの被リンクを得ることができ、前述のＳＥＯ対策上の効果を発揮するのである。
【００４３】
なお、コンテンツデータを一括して反映させるＷＥＢサービスは必ずしも当該ユーザの開設するすべてのサイトである必要はなく、ユーザの選択により指定したサイトのみに反映させることもできる。（その際に、前述のようにユーザメインサイト２０１もコンテンツデータの一括反映の対象とすることができる。）
その場合、ユーザ端末装置１０７のユーザインターフェイス上にコンテンツデータを送信して反映させるべきサイトを選択できる選択手段を設け、管理サーバ１０２がアクセス情報データベース１０４に照会する際に選択したサイトに係るＷＥＢサーバのＡＰＩやエンドポイントのみを取得して、選択したサイトにのみ命令文を送信する。
【００４４】
コンテンツデータベース１０５は、ユーザがユーザ端末装置１０７により管理サーバ１０２に送信してきたＨＴＭＬ形式のコンテンツデータを、ユーザごとに関連づけて記憶しておく記憶手段である。
【００４５】
ユーザは、管理サーバ１０２を通じてコンテンツデータベース１０５を照会することにより過去に外部サイトに反映させたコンテンツデータを確認することができ、またそれらを選択して修正等する場合には、コンテンツデータベース１０５からユーザ端末装置１０７に読み出して修正し、再び管理サーバ１０２に送信することで、前述の手順によってすべてのＷＥＢサイトに修正結果を一括して反映させることができる。
また、ＷＥＢサーバを兼ねた管理サーバ上に開設した内部サイト２０５は、コンテンツテータベース１０５に記憶されたコンテンツデータ（ＨＴＭＬ形式）を適宜表示して、インターネット上に公開する。
【００４６】
内部サイト２０５は、本システムを運営する事業者が開設するＷＥＢサイトであり、独自のＷＥＢサービスを閲覧者に提供するものである。
ユーザは、本システムを利用するにあたって当該事業者と契約してユーザ登録することが考えられるが、内部サイト２０５上では独自のＷＥＢサービスを提供するとともに、登録ユーザがコンテンツデータを更新あるいは追加等した場合にその情報を表示する登録ユーザ情報表示領域（例えば「お知らせ」あるいは「新着情報」等）を有しており、ユーザが本システムを利用して自分の開設するメインサイトや複数の外部ＷＥＢサイトのコンテンツを一括更新した場合にそのコンテンツの「見出し」を当該領域に表示するとともに、当該見出し部分にコンテンツデータベース１０５内の該当コンテンツデータを呼び出すリンクを設定しておく。
これにより、内部サイト２０５にアクセスした閲覧者が当該見出しをクリックすることにより、ユーザが更新あるいは追加等した最新のコンテンツを表示することができ、見込み客のユーザメインサイト２０１への誘導を促進する効果が期待できる。
【００４７】
なお、内部ＷＥＢサイト２０５の独自のＷＥＢサービスとしては、例えば地図検索サービスを提供するＡＳＰ(Aplication Service Provider)を利用して、閲覧者（検索者）が入力したエリア区分や業種分類等の検索条件に該当する飲食店や物販店を検索して地図上に検索結果をプロット表示する店舗検索サービスなどが知られているが、本システムでは当該地図検索サービスと連携して登録ユーザに関する情報を積極的に閲覧者（検索者）に提示させることもできる。
【００４８】
具体的には、閲覧者（検索者）の検索条件に合致する店舗等を有する登録ユーザのユーザ情報がユーザデータベース１０３に登録されていて、管理サーバ１０２がユーザデータベース１０３を照会して該当する登録ユーザを発見した場合に、コンテンツデータベース１０５から当該登録ユーザが入力して記憶された最新のコンテンツデータを呼び出し、内部ＷＥＢサイト２０５の地図検索画面外の前記登録ユーザ情報表示領域に「おすすめ情報」として表示することができる。
【００４９】
また、上記検索結果を表示した地図上で検索条件に該当する個々の店舗等をプロット表示するアイコンに閲覧者（検索者）がポインタ等を合わせることにより、あらかじめユーザデータベース１０３に記憶させておいた当該店舗等の詳細情報を情報表示窓（いわゆる「バルーン表示」）により表示させることができる。そして、当該情報表示窓に表示させた詳細情報の中に登録ユーザのユーザメインサイト２０１あるいは当該店舗等のＷＥＢサイトへのリンクを設定しておくことにより、閲覧者（検索者）に当該リンクのクリックを促し、前記地図検索画面から直接、登録ユーザのメインサイト等へ閲覧者（検索者）を誘導する効果も期待できる。
【００５０】
図２は、本ＷＥＢサーバ管理システムを利用するユーザが、ユーザ端末装置１０７から本システムにログインした後、コンテンツの作成・編集・削除等の更新入力を行い、管理サーバ１０２が当該コン入力データを内部サイト２０５に反映させるとともに、外部ＷＥＢサーバ１０９、１１０、１１１上のブログサイト２０２、ＳＮＳ個人スペース２０３、外部ＷＥＢサイト２０４に一括して反映させ更新する処理のフローを示す概念図である。
図３は、本実施例に係るシステムを用いて、システム管理者が、外部ＷＥＢサービスの登録等の管理を行う処理および管理用端末装置１０６に表示される画面の遷移を示した図である。
図４は、本実施例に係るシステムで外部ＷＥＢサイトのコンテンツの追加・編集・削除等を行う処理およびユーザ端末装置１０７に表示される画面の遷移を示した図である。
なお、図３および図４中の符号５０１乃至５０５は管理用端末装置１０６上に、６０１乃至６０８はユーザ端末装置１０７上に表示され遷移する個々の操作画面を示す。
【００５１】
次に、図３および図４を参照しつつ、本実施例に係る本システムを用いた外部ＷＥＢサーバおよび外部ＷＥＢサイトの管理の方法を説明するが、これらの方法はあくまで例示であり、以下の説明および図の中に示す本システムを構成する各装置の処理やその手順、各画面の名称や表示内容、画面遷移の順番を限定するものではない。
また、内部ＷＥＢサイト２０５は、本システムの必須構成要件ではない。
【００５２】
以下では、システム管理者が、ユーザが複数の外部ＷＥＢサービスに開設した外部ＷＥＢサイトを本システムの管理対象に登録し、あるいはその登録情報を変更または削除する方法について説明する。
なお、この場合、ユーザが、事前に一つまたは複数の外部ＷＥＢサービスに対して利用を申し込んで所定のユーザ設定情報を登録し、当該外部ＷＥＢサービスに係る外部ＷＥＢサーバ上に自分の外部ＷＥＢサイトを開設していること、また、システム管理者は、当該外部ＷＥＢサービスのＷＥＢアプリケーションに係るＡＰＩやエンドポイント等の情報を事前に取得してアクセス情報データベース１０４に記憶させていることが前提となる。
【００５３】
まず、システム管理者が管理用端末装置１０６上のＷＥＢブラウザに外部ＷＥＢサービス登録管理機能を呼び出す所定のＵＲＬを入力すると（管理用端末装置１０６上のＷＥＢブラウザに事前に記憶させておいたいわゆる「ブックマーク」等を用いても良い。）、管理用端末装置１０６上に管理サーバ１０２と通信し外部ＷＥＢサービス外部ＷＥＢサービス登録管理機能にログインするための「ログイン画面A５０１」が表示される。
【００５４】
前記ログイン画面A５０１にシステム管理者が適切な管理者認証情報（ＩＤ、パスワード等）を入力して送信すると、それを受信した管理サーバ１０２は管理者データベース（図示せず）を照会し、当該管理者認証情報があらかじめ記憶されている登録ユーザのユーザ認証情報と合致する場合は登録システム管理者であると認証してログインさせ、以降のシステム管理者の送信を受け付けるためのＨＴＴＰ(Hyper
Text Transfer Protocl)によるセッションを開始して保持するとともに「外部ＷＥＢサービス登録管理画面５０２」を管理用端末装置１０６に表示させる。
【００５５】
前記外部ＷＥＢサービス登録管理画面５０２には、現時点でＡＰＩおよびエンドポイントが公開され本システムにより管理可能な外部ＷＥＢサービスを列挙した「外部ＷＥＢサービス一覧」が表示される。
【００５６】
前記外部ＷＥＢサービス一覧に列挙された個々の外部ＷＥＢサービスのそれぞれには、あらかじめＡＰＩやエンドポイントを登録している外部ＷＥＢサービスを本システムの管理対象として登録しているか否かが表示されており、システム管理者はこれを参照して新たに未登録の外部ＷＥＢサービスを登録する、あるいは登録済みの外部ＷＥＢサービスの設定情報を変更あるいは削除するといった操作を行う。
【００５７】
システム管理者が本システムによる管理対象として登録していない未登録の外部ＷＥＢサービスを新たに登録する場合には、外部ＷＥＢサービス登録管理画面５０２上に設置された「追加」ボタンをクリックして「外部ＷＥＢサービス追加画面５０３」に遷移させ、当該画面上に表示する未登録外部ＷＥＢサービスの名称から所望の未登録外部ＷＥＢサービスを指定し「保存」ボタンをクリックする。
【００５８】
これを受けて、管理サーバ１０２はアクセス情報データベース１０４を照会して指定された未登録の外部ＷＥＢサービスに係るＡＰＩやエンドポイント等のアクセス情報を取得し当該未登録外部ＷＥＢサービスを本システムに登録する。
【００５９】
以上により、以降、システム管理者が登録した複数の外部ＷＥＢサービスにそれぞれ開設した外部ＷＥＢサイトを一括管理するための準備が整う。
【００６０】
一方、システム管理者がすでに登録済みの外部ＷＥＢサービスの設定情報を変更あるいは削除する場合には、外部ＷＥＢサービス一覧画面５０２上に設置された「変更または削除」ボタンをクリックして「外部ＷＥＢサービス変更削除画面５０４」に遷移させ、当該画面上の登録済み外部ＷＥＢサービスの名称から所望の登録外部ＷＥＢサービスを指定する。
【００６１】
これを受けて、管理サーバ１０２はアクセス情報データベース１０４を照会して指定された登録済み外部ＷＥＢサービスに係る登録情報を取得し「登録サービス変更削除画面５０５」を表示させる。
当該登録サービス変更削除画面５０５には「決定」および「削除」ボタンが設置されている。
【００６２】
システム管理者が前記登録サービス変更・削除画面５０５に登録情報の変更を入力してから「決定」ボタンをクリックするか、あるいはそのまま「削除」ボタンをクリックすると、管理サーバ１０２は当該登録済み外部ＷＥＢサービスの外部ＷＥＢサーバと通信し、ＷＥＢアプリケーションを利用して当該外部ＷＥＢサーバ上に記憶されているユーザ登録情報を変更または削除する。
【００６３】
これにより、システム管理者は外部ＷＥＢサービスの登録情報を変更または削除することができる。
【００６４】
次に、ユーザが、システム管理者によって本システムに管理対象として登録された複数の外部ＷＥＢサービスに係る外部ＷＥＢサイトのコンテンツを一括して管理する方法について説明する。
【００６５】
ユーザがユーザ端末装置１０７上のＷＥＢブラウザに外部ＷＥＢサイト登録管理機能を呼び出す所定のＵＲＬを入力すると（ユーザ端末装置１０７上のＷＥＢブラウザに事前に記憶させておいたいわゆる「ブックマーク」等を用いても良い。）、ユーザ端末装置１０７上に管理サーバ１０２と通信し登録済みの外部ＷＥＢサービスに係る外部ＷＥＢサイトを一括管理するための外部ＷＥＢサイト管理機能にログインするための「ログイン画面B６０１」が表示される。
【００６６】
前記外部ＷＥＢサイト管理機能ログイン画面６０１にユーザが適切なユーザ認証情報（ＩＤ、パスワード等）を入力して送信すると、それを受信した管理サーバ１０２はユーザデータベース１０３を照会し、当該ユーザ認証情報があらかじめ記憶されている登録ユーザのユーザ認証情報と合致する場合は登録ユーザであると認証してログインさせ、以降のユーザの送信を受け付けるためのＨＴＴＰ(Hyper Text Transfer Protocl)によるセッションを開始して保持するとともに「外部ＷＥＢサイト管理画面６０２」をユーザ端末装置１０７に表示させる。
【００６７】
この外部ＷＥＢサイト管理画面６０２には、ユーザが本システムに管理対象として登録した複数の登録済み外部ＷＥＢサービスに係る外部ＷＥＢサイト上のユーザのコンテンツを更新または追加する操作を行うための「コンテンツ管理画面６０３」に遷移する「コンテンツ」ボタンと、一の登録済み外部ＷＥＢサービスに新たに外部ＷＥＢサイトを開設（すでに開設している外部ＷＥＢサイトに加えてさらに別の外部ＷＥＢサイトを追加して開設する場合を含む。）する操作、あるいは当該登録済み外部ＷＥＢサービスにすでに開設している一つまたは複数の外部ＷＥＢサイトの各種設定（外部ＷＥＢサイトごとのＩＤやパスワード、ＵＲＬなど）を変更したり外部ＷＥＢサイトを非公開にしたり当該外部ＷＥＢサイト自体を削除する操作を行う「外部ＷＥＢサイト更新削除画面６０４」へ遷移する「サイト」ボタンが設置されている。
【００６８】
ユーザがコンテンツを追加・更新する場合は、「コンテンツ」ボタンをクリックして前記コンテンツ管理画面６０３を呼び出す。
【００６９】
当該コンテンツ管理画面６０３には、現時点までにコンテンツデータベース１０５に記憶されているコンテンツデータの見出しが列挙表示されており、それぞれのコンテンツデータの見出しごとにユーザがそれを外部ＷＥＢサーバへの反映表示することを認めているか否かの状態表示、および当該コンテンツデータを編集または削除するための「編集または削除」のボタンが設置されている。
また、当該コンテンツ管理画面６０３には、新たなコンテンツを追加登録する操作を行うための「追加」ボタンも設置されている。
【００７０】
ユーザがすでにコンテンツデータベース１０５に記憶されているコンテンツデータを編集または削除する場合、前記列挙表示されたコンテンツデータの見出しごとに設置された「編集または削除」ボタンをクリックすると、「コンテンツ編集削除画面６０５」が表示される。
【００７１】
当該コンテンツ編集削除画面６０５には、ユーザが編集できる状態でコンテンツの見出し（タイトル）とコンテンツ本文を表示するテキストボックス、当該コンテンツを個別に外部ＷＥＢサイトに反映表示させるか否かを決定する「表示／非表示メニュー」、および編集後の当該コンテンツをコンテンツサーバ１０５に更新登録させる「登録」ボタン、当該コンテンツを削除する「削除」ボタンが設置されている。
【００７２】
ユーザがコンテンツ編集削除画面６０５上のコンテンツの見出しあるいは本文を編集して「登録」ボタンをクリックすると、当該編集後のコンテンツはＨＴＭＬ形式のデータとしてユーザ端末装置１０７から管理サーバ１０２に送信され、管理サーバ１０２はコンテンツサーバ１０５上の編集前コンテンツに上書きして記憶させる。
【００７３】
一方、管理サーバ１０２は、ユーザデータベース１０３を照会し、ユーザがコンテンツの反映表示を認めている所定の外部ＷＥＢサイトに係る外部ＷＥＢサービスすべてに対応するＸＭL命令文書を生成してそれに当該編集後のコンテンツを書き込んだ上でそれぞれ所定の外部ＷＥＢサーバへ送信し、それぞれのＷＥＢアプリケーションを利用して所定の外部ＷＥＢサイト上の編集前コンテンツのすべてを一括して置き換えて表示させる。
【００７４】
また、ユーザがコンテンツを削除する場合は、コンテンツ編集削除画面６０５上でコンテンツの内容を確認した上で「削除」ボタンをクリックすると、削除命令がユーザ端末装置１０７から管理サーバ１０２に送信され、管理サーバ１０２はコンテンツデータベース１０５上の該当コンテンツデータを消去する。
【００７５】
一方、ユーザが新たなコンテンツを追加登録する場合、前記「追加」ボタンをクリックすると「コンテンツ追加画面６０６」が表示される。
【００７６】
当該コンテンツ追加画面６０６には、ユーザが追加コンテンツの見出し（タイトル）および追加コンテンツの本文を入力するためのテキストボックス、当該追加コンテンツを個別に外部ＷＥＢサイトに反映表示させるか否かを決定する「表示／非表示メニュー」、および当該追加コンテンツをコンテンツサーバ１０５に追加登録させる「登録」ボタンが設置されている。
【００７７】
ユーザがコンテンツ追加画面６０６上で追加コンテンツの見出しおよび本文を前記テキストボックスに記入して「登録」ボタンをクリックすると、当該追加コンテンツはＨＴＭＬ形式のデータとしてユーザ端末装置１０７から管理サーバ１０２に送信され、管理サーバ１０２はそれをコンテンツデータベース１０５に記憶させる。
なお、この際、ユーザがテキストボックスに記入するコンテンツ本文にはユーザのメインサイトのＵＲＬを挿入することもできる。
【００７８】
ＨＴＭＬ形式のコンテンツデータを受け取った管理サーバ１０２は、同時にユーザデータベース１０３を照会し、ユーザがコンテンツの反映表示を認めている所定の外部ＷＥＢサイトに係る外部ＷＥＢサービスすべてに対応するＸＭL命令文書を生成してそれに当該追加コンテンツを書き込んだ上でそれぞれ所定の外部ＷＥＢサーバへ送信し、それぞれのＷＥＢアプリケーションを利用して所定の外部ＷＥＢサイトすべてに一括して追加し反映表示させる。
【００７９】
この際、書き込まれたコンテンツの本文にユーザのメインサイトのＵＲＬが挿入されていた場合、当該コンテンツ内にユーザのメインサイトへのリンクが生成される。
【００８０】
一方、前述の外部ＷＥＢサイト管理画面６０２上でユーザが「サイト」ボタンをクリックすると、外部ＷＥＢサイト更新削除画面６０４に遷移する。
当該外部ＷＥＢサイト更新削除画面６０４には、現時点までにアクセス情報データベース１０４に記憶されているユーザが外部ＷＥＢサイトを開設している外部ＷＥＢサービスの一覧が列挙表示されており、それぞれの外部ＷＥＢサービスの名称ごとにユーザがその外部ＷＥＢサービス上の外部ＷＥＢサイトにコンテンツを反映させることを認めているか否かの状態表示、および当該外部ＷＥＢサイトに係る設定情報を変更または削除するための「変更または削除」ボタンが設置されている。
また、当該外部ＷＥＢサイト更新削除画面６０４には、本システムで一括管理可能な新たな外部ＷＥＢサービスを追加登録する操作を行うための「追加」ボタンも設置されている。
【００８１】
ユーザが、前記「変更または削除」ボタンをクリックすると、外部ＷＥＢサイトの現時点における各種設定情報を表示する「外部ＷＥＢサイト変更削除画面６０７」に遷移し、ユーザが当該外部ＷＥＢサイト変更削除画面６０７で各種設定情報の変更を入力すると、管理サーバ１０２は当該変更情報をユーザデータベース１０３およびアクセス情報データベース１０４に送信して設定情報を上書き変更する。
また、ユーザが当該画面上においてユーザが外部サイトの削除を選択すると、管理サーバ１０２は、ユーザデータベース１０２およびアクセス情報データベース１０４上から当該ＷＥＢサイトに関する設定情報を削除し、当該ＷＥＢサイトは当該ユーザに関しては本システムによる一括管理の対照から外される。
【００８２】
一方、ユーザが外部ＷＥＢサイト更新削除画面６０４上の「追加」ボタンをクリックすると「外部ＷＥＢサイト追加画面６０８」に遷移し、現時点でユーザが外部ＷＥＢサービスに開設している外部ＷＥＢサイトのうちコンテンツの一括管理の対象とされていない登録外部ＷＥＢサイトの一覧が表示される。
ユーザが上記登録外部ＷＥＢサイトの一覧から所望のＷＥＢサイトを指定すると、管理サーバ１０２は当該外部ＷＥＢサイトの設定情報をユーザデータベース１０３およびアクセス情報データベース１０４に新たに記憶させ、以降、当該ＷＥＢサイトは当該ユーザのコンテンツ一括管理の対象に追加される。
【００８３】
以上の説明では、主にユーザ端末装置１０７を固定型あるいはノート型のパーソナルコンピュータ（ＰＣ）または携帯情報端末（ＰＤＡ）、あるいは携帯電話機であって、ＷＥＢサイトを閲覧したり、本システムのユーザインターフェイスを操作することができるＷＥＢブラウザを備えるものと想定し、ユーザによる本システムの操作も当該ＷＥＢブラウザを通じて行うものとしてきたが、ユーザが新たなコンテンツを作成して管理サーバ１０２に送信し、それを外部ＷＥＢサイトに反映させる機能に限定するならば、以下に示すようにＷＥＢブラウザではなくユーザ端末装置１０７に備えられた電子メール作成および送信機能を用いて簡便に本システムを利用することができる。
【００８４】
具体的には、システム本体１０１内に管理サーバ１０２とネットワーク接続された電子メールの送受信を行うメールサーバ１１３を設置し、当該メールサーバ１１３に個々のユーザごとに割り当てた電子メール受信用メールアドレスを設定しておく。
【００８５】
ユーザはユーザ端末装置１０７の電子メール作成機能を用いて、メールの件名を本システムにおけるコンテンツの見出しとし、メールの本文を当該コンテンツの本文としたＨＴＭＬ形式の電子メールを作成して前記自分に割り当てられた電子メール受信用メールアドレス宛に送信する。
【００８６】
前記電子メールを受信したメールサーバ１１３はＨＴＭＬ方式のメールデータを管理サーバ１０２に送信する。
これを受信した管理サーバ１０２は、メールの件名を本システムにおけるコンテンツの見出しとして、メールの本文を当該コンテンツの本文として認識し、当該電子メールを受信した電子メール受信用メールアドレスから送信者であるユーザを特定することによってり、当該コンテンツデータを、ユーザがユーザ端末装置１０７からコンテンツ追加画面６０６のテキストボックスに入力したコンテンツデータと同じ取り扱いでコンテンツデータベース１０５に記憶させる。
以降、管理サーバ１０２がＸＭL命令文書を生成してそれにコンテンツを書き込んだ上でそれぞれ所定の外部ＷＥＢサーバへ送信し、それぞれのＷＥＢアプリケーションを利用して所定の外部ＷＥＢサイト上に反映させる手順は同様である。
【００８７】
以上の手順により、ユーザは、電子メールを作成して送信することができるユーザ端末装置１０７（例えば一般的な携帯電話機）さえ使用できれば、通常の電子メールを送信するのと同じ手間と感覚で、時間や場所を問わず簡便にコンテンツを追加して外部ＷＥＢサイトに一括して反映させることができる。
【００８８】
以上、本発明の好ましい実施形態について説明したが、本発明は、上述した実施形態には制限されず、本発明の範囲内において上述した実施形態に変更あるいは置換を加えることができるのもとする。
【００８９】
例えば、本発明ではユーザは事前に一つまたは複数の外部ＷＥＢサービスに対して利用を申し込んで所定のユーザ設定情報を登録し、当該外部ＷＥＢサービスに係る外部ＷＥＢサーバ上に自分の外部ＷＥＢサイトを開設していることが前提としている。
これはユーザと外部ＷＥＢサービス運営事業者とのＷＥＢサービス利用契約が、一般的にユーザ本人からの申し込みによってのみ成立するというサービス規約に基づいていることによる。
【００９０】
ここで、本システムの運営事業者が外部ＷＥＢサービス運営事業者との間で、すでに本システムに登録しているユーザを一括して当該外部ＷＥＢサービスの利用する契約を代理して締結することが可能となれば、ユーザ個人が個別に当該外部ＷＥＢサービスを利用して外部ＷＥＢサイトを開設する手続を本システムで一括代行することが可能となる。
この場合、新たにブログ等のＷＥＢサービスを開設した外部ＷＥＢサービス事業者にとっては、短期間にまとまった数の新規サービス利用者を獲得でき、一方、本システムのユーザにとっては、個別に外部ＷＥＢサービス事業者に対して登録手続を行うことなく、本システムを通じてほぼ自動的に新たな外部ＷＥＢサイトを開設して自分のコンテンツのインターネット上での露出度の向上と自分のメインサイトへの被リンクの増加によるＳＥＯ対策の強化の両面の効果を期待できるというメリットがある。
【００９１】
具体的には、まず、本システム運営事業者が一括契約した新たな外部ＷＥＢサービスから本システムのユーザごと当該外部ＷＥＢサービスにおけるＩＤや仮パスワード等のログイン情報、およびＡＰＩやエンドポイント等のアクセス情報を取得して、ログイン情報をユーザデータベース１０３に、アクセス情報をアクセス情報データベース１０４に、個々のユーザに関連づけて記憶させる。
【００９２】
また、外部ＷＥＢサービスの多くは、運営するＷＥＢサーバ上に登録したユーザが新たにＷＥＢサイトを開設する際に、あらかじめ設定した複数種類のＷＥＢサイトのひな型（一般的に「テンプレート」と呼ばれる。）を提供しており、必要最小限のコンテンツ（ＷＥＢサイトのタイトルや自己紹介、いわゆる投稿記事等のテキストデータや画像データ）をＷＥＢアプリケーションのインターフェイスに入力するだけで初期状態のＷＥＢサイトが半自動的に開設できる方法をとっている。
これらの初期ＷＥＢサイトの開設のための操作もＷＥＢアプリケーションを利用して行うため、それらの操作をＷＥＢアプリケーションに実行させる規約のＡＰＩもあわせてアクセス情報データベース１０４に記憶させる。
【００９３】
一方、外部ＷＥＢサービス登録管理画面５０２においては、外部ＷＥＢサービス一覧に新たな外部ＷＥＢサービス名称を追加するとともに、画面上には新たに「開設」ボタンを設置し、ユーザが当該「開設」ボタンをクリックした場合は、新たに「新規ＷＥＢサイト開設画面５０６（図示せず）」を表示させる。
【００９４】
当該新規ＷＥＢサイト開設画面５０６には当該ＷＥＢサービスのＷＥＢアプリケーションを利用して初期状態のＷＥＢサイトを生成して開設するために必要最小限のコンテンツを入力するテキストボックス等の入力領域と「登録」ボタンを設置する。
ユーザが必要なコンテンツを入力して「登録」ボタンをクリックすると、管理サーバ１０２がアクセス情報管理データベース１０４を照会して対応するＡＰＩ等のアクセス情報を取得し、前記必要最小限のコンテンツを書き込んだＸＭL命令文書を生成して前記外部ＷＥＢサービスの外部ＷＥＢサーバに送信し、前記ＷＥＢアプリケーションを利用して外部ＷＥＢサーバ上にユーザの新たな外部ＷＥＢサイトを開設させる。
さらに管理サーバ１０２は、同時に当該ＷＥＢサービスと新たに開設した外部ＷＥＢサイトを当該ユーザと関連づけてユーザデータベースにも記憶させ、前述の外部ＷＥＢサービス登録管理画面５０２上の外部ＷＥＢサービス一覧および外部ＷＥＢサービス変更削除画面５０４上の外部ＷＥＢサービス一覧にも当該新たに開設した外部ＷＥＢサービス名称を表示させる。
【００９５】
以上により、ユーザは新たな外部ＷＥＢサービスに自分で申し込みをすることなく、本システムを利用して必要最小限のコンテンツを入力するだけで当該外部ＷＥＢサービスの外部ＷＥＢサーバに新たな外部ＷＥＢサイトを開設することができる。
また、自分自身で外部ＷＥＢサイトを開設した外部ＷＥＢサービスと同様に、本システムを通じて外部ＷＥＢサイトを開設した外部ＷＥＢサービスも本システムの管理対象として追加・変更・削除したり、管理対象に登録した場合はそのコンテンツの一括での追加・編集・削除を行えるようになる。
【００９６】
なお、セキュリティ上の観点からは、前述の通り、新たな外部ＷＥＢサービス事業者から取得する個々のユーザのログイン用のパスワードは「仮パスワード」とし、本システムの外部ＷＥＢサービス変更削除画面５０４においてパスワードの変更ができるようにしておくことが望ましい。
【００９７】
また、上述の実施形態１では、外部ＷＥＢサービスへのコンテンツの送信に当って、コンテンツの見出し（タイトル）とコンテンツの本文を一括して送信し、外部ＷＥＢサイト上にも一括して反映させる方法を示したが、見出し（タイトル）と本文あるいは本文内の画像データはそれぞれ別個のデータとしてＸＭL命令文書に記載するので、外部ＷＥＢサイトの性質に応じて、本文を共通とし見出し（タイトル）のみ異ならせたり、逆に見出し（タイトル）を共通として本文のみ外部ＷＥＢサイトごとに異ならせたりしても良く、本文のみ固定して表示させる画像を異ならせたり、その逆の表示をさせても良い。
これにより、本システムは、外部ＷＥＢサイトのコンテンツを基本的に共通にしても良いし、コンテンツの一部を異ならせることもできるため、ユーザは見込み客に対する訴求効果を勘案して多彩な外部ＷＥＢサイトを展開し運営できる。
【００９８】
また、外部ＷＥＢサービスがブログサービスである場合、ＷＥＢアプリケーション
のコメント管理機能やトラックバック管理機能を操作するＡＰＩを用いて、各ブログへの来訪者がコンテンツに対して投稿したコメントや、当該ブログがトラックバックを設定された来訪者のＷＥＢサイト情報を管理サーバ１０２に送信するようにし、ユーザが本システムにアクセスした際にすべてのコメントやトラックバック情報を一括して閲覧できるようにしても良い。
【００９９】
また、ユーザは管理サーバ１０２を通じて各ＷＥＢサービスのＷＥＢアプリケーションのＲＳＳ生成機能をＡＰＩを用いて利用し、外部ＷＥＢサイトにＲＳＳフィードを生成させて配信させることにより、個々の外部ＷＥＢサイトのコンテンツの更新を広範に告知することができる。
【０１００】
一方、インターネットを通じて電子メールを送受信するメールサーバにはあらかじめ登録しておいた多数のメール送信先アドレスに一の電子メールを一斉に送信することができるいわゆる「同報機能」があるが、この機能を利用して定期または不定期に登録した多数の「読者」に記事形式の電子メールを送信する「メールマガジン」サービス（以下、単に「メルマガ」と記す。）が活発に利用されており、かかるメルマガ配信サービスを商業的に提供する事業者が多数存在する。
【０１０１】
近年では、多くの事業者が自分のＷＥＢサイト等でメルマガの読者を募り、申し込んで登録した読者のメールアドレス宛に、読者にとって有益な情報とともに自分の事業や商品・サービスの宣伝広告などのコンテンツを含むメルマガを定期的に配信している。
【０１０２】
こうしたメルマガサービスの運営は、膨大なメールアドレスに一斉にメルマガを送信することができる同報機能を備えたメールサーバと、それを管理し、あらかじめ登録されたユーザ（メルマガ発行者）から受け付けたメルマガのコンテンツを電子メール形式に処理するメルマガ発行サーバ（いわゆる「メルマガスタンド」）等から構成されるが、メルマガ発行サーバの多くもＡＰＩにより外部より操作が可能である。
【０１０３】
そこで、本システムにおける外部ＷＥＢサービスと同様に、複数のメルマガ配信サービスをメルマガスタンドのＡＰＩを利用して操作し、ユーザのコンテンツを自動的にメルマガとして配信させることもできる。
【０１０４】
この場合、あらかじめ本システムに一つ又は複数のメルマガ配信サービスを登録しておき、一方、ＡＰＩを利用して外部ＷＥＢサイト上に来訪者に対するメルマガ配信受付フォームを作成し各外部ＷＥＢサーバ上に配信先のメールアドレスを蓄積する。
その上で、ユーザがユーザ端末装置１０７から入力したメルマガ用コンテンツを管理サーバ１０２によって各メルマガスタンドに送信し、ＡＰＩを利用して当該コンテンツに基づくメルマガを作成させて、蓄積しておいたメールアドレスに送信させる。
【０１０５】
以上、本発明によれば、本システムのユーザは、ブログサイトやＳＮＳ個人スペース設あるいは従来のＷＥＢサイトの開設運用サービスを提供する様々なＷＥＢサービスにおける、異なる形式のＷＥＢアプリケーションにより運用される複数のＷＥＢサーバ上に、それぞれユーザのＷＥＢサイトを開設して一括管理できるため、ユーザのコンテンツのインターネット上における「露出度」を容易に高めることができるだけでなく、当該複数のＷＥＢサイトのコンテンツを一括して、あるいは任意に選択して追加、編集、あるいは削除することができ、また、当該複数のＷＥＢサイトからユーザのメインサイトへのリンクを容易に設定することができるため、ユーザのメインサイトおよび個々の外部ＷＥＢサイトの双方についてサーチエンジンの検索結果における表示順位向上というＳＥＯ対策上の効果を高めることができ、ひいてはユーザの事業へのインターネット上における見込み客の誘導という効果を期待できる。
【図面の簡単な説明】
【０１０６】
【図１】本発明に係るＷＥＢサーバ管理システムを適用した場合のネットワークシステムの構成例を示す図である。
【図２】本発明に係るＷＥＢサーバ管理システムにおけるユーザ、本システムおよび外部ＷＥＢサーバ等のデータ送受信およびその処理の流れを示す図である。
【図３】実施例１に係るＷＥＢサーバ管理システムにおけるシステム管理者による管理の処理および管理用端末装置に表示される画面の遷移を示す図である。
【図４】実施例１に係るＷＥＢサーバ管理システムにおけるユーザによる管理の処理及びユーザ端末装置に表示される画面の遷移を示す図である。
【符号の説明】
【０１０７】
W      インターネット
１００  ネットワークシステム
１０１  システム本体
１０２  管理サーバ
１０３  ユーザデータベース
１０４  アクセス情報データベース
１０５  コンテンツデータベース
１０６  管理用端末装置
１０７  ユーザ端末装置
１０８  ユーザメインサイト用ＷＥＢサーバ
１０９、１１０、１１１  外部ＷＥＢサーバ
２０１  ユーザメインサイト
２０２  ブログサイト（例示）
２０３  ＳＮＳ個人スペース（例示）
２０４  外部ＷＥＢサイト（例示）
３００  管理プログラム
３０１、３０２、３０３  ＷＥＢアプリケーション
４０１、４０２、４０３、４０４  ＡＰＩ
５０１  ログイン画面１
５０２  外部ＷＥＢサービス登録管理画面
５０３  外部ＷＥＢサービス追加画面
５０４  外部ＷＥＢサービス変更削除画面
５０５  ユーザ登録情報変更削除画面
６０１  ログイン画面２
６０２  外部ＷＥＢサイト管理画面
６０３  コンテンツ管理画面
６０４  外部ＷＥＢサイト更新削除画面
６０５  コンテンツ編集削除画面
６０６  コンテンツ追加画面
６０７  外部ＷＥＢサイト変更削除画面
６０８  外部ＷＥＢサイト追加画面
【図１】
2010224700.tif 000003
【図２】
2010224700.tif 000004
【図３】
2010224700.tif 000005
【図４】
2010224700.tif 000006